(57)【要約】【課題】集塵装置を設置することなく、建屋内に発生した粉塵を鎮める方法を提供すること。【解決手段】水の供給弁２５と空気の供給弁２６を開にして粉塵が飛散している建屋１１内へ向けて噴霧ノズル２１から水を噴霧すると共に、マイナスイオン発生手段２２に電圧を印加してコロナ放電を発生させてマイナスに帯電した水滴を建屋１１内へ噴霧し、噴霧された水滴を粉塵に付着させ、水滴が付着した粉塵を沈降させることにより、建屋１１内に飛散している粉塵を鎮める。【選択図】            図１
2004243205.tif 000002
【特許請求の範囲】
【請求項１】
粉塵が飛散している建屋内へマイナスイオンを帯びた水滴を噴霧し、噴霧された水滴に粉塵を付着させて沈降させることにより、建屋内の粉塵を鎮めることを特徴とする建屋内に発生した粉塵を鎮める方法。
【請求項２】
噴霧される水滴が２流体ノズルで発生させた微細な霧状であることを特徴とする請求項１に記載の建屋内に発生した粉塵を鎮める方法。
【発明の詳細な説明】
【０００１】
【発明の属する技術分野】
本発明は建屋内に発生した粉塵を沈降させて鎮める方法に関する。
【０００２】
【従来の技術】
都市ごみや産業廃棄物が搬入されるピットは閉鎖性の高い建屋内に設けられており、建屋内に舞い上がった粉塵や臭気が外部へ飛散するのを防止するために、集塵装置が設けられている（例えば、特許文献１）。
【０００３】
特許文献１に記載の技術おいては、都市ごみが搬入されるピットの建屋内の空気を排気し、この排気の集塵処理を行う装置が付設されている。この排気の集塵装置はサイクロン、バグフィルター、及び吸引ブロワーが連結された構成になっており、建屋内から抜き出された粉塵はサイクロンとバグフィルターで捕集されて除去され、臭気を含む排気は焼却炉へ吹き込まれるようになっている。
【０００４】
ところで、近年、資源リサイクルの一環として、廃プラスチックの再利用が行われている。この廃プラスチックのリサイクル施設においても、搬入される廃プラスチックの受け入れピットがあり、この廃プラスチック用ピットも、都市ごみ用ピットと同様の閉鎖性の高い建屋内に設けられている。この建屋内には、ピット内の廃プラスチックを処理工程へ送り出すためのクレーンが設置されいる。この廃プラスチック用ピットの建屋にも、都市ごみ用ピットと同様の集塵装置が付設されているが、廃プラスチック用ピットからは特に排気しなければならない程の臭気の発生は起こらないので、その集塵装置は、必要に応じて稼動される。
【０００５】
上記の廃プラスチック用ピットにおいては、トラックなどから廃プラスチックを投入するとき、及びピット内の投入物を均質化するためにクレーンを用いて掻き混ぜるときに、一般に都市ごみ用ピットに比べて多量の粉塵が舞い上がり、視界が遮られて目視やモニターによるクレーン操作が困難な状態になる。このプラスチックの粉塵は軽く且つ乾燥していているので、粉塵が沈降して静まるまでには長時間を要する。このような場合には、建屋内の空気を排気して粉塵を除去し、その排気の集塵処理を行っている。
【０００６】
【特許文献１】
特開平３−１４４２０８号公報
【０００７】
【発明が解決しようとする課題】
しかし、従来技術においては、廃プラスチック用ピットからは特に排気しなければならない程の臭気は発生しないのに、集塵装置が設置されている。しかも、その集塵装置は多量の粉塵が発生した際のみに稼動させる装置であり、利用度の小さい装置である上に、廃プラスチック用ピットの建屋はその大きさが数万ｍ３  にも及ぶものもあって、この建屋内の空気を排気して粉塵を除去するためには、大型の集塵装置を設置しなければならない。
【０００８】
本発明は、上記の問題に鑑みてなされたものであり、その目的は集塵装置を設置することなく、建屋内に発生した粉塵を鎮める方法を提供することにある。
【０００９】
【課題を解決するための手段】
上記の課題を解決するために、請求項１に記載の方法は、粉塵が飛散している建屋内へマイナスイオンを帯びた水滴を噴霧し、噴霧された水滴に粉塵を付着しやすくして効率的に沈降させることにより、建屋内の粉塵を鎮めることを特徴としている。
【００１０】
請求項２に記載の方法は、請求項１に記載の方法において、噴霧される水滴が２流体ノズルで発生させた微細な霧状であることを特徴としている。
【００１１】
前述のように、プラスチックの粉塵は軽く且つ乾燥しているので、極めて沈降しにくい粒子である。本発明者らは、この沈降しにくい飛散粉塵を鎮めるための方法として、その粉塵の粒子に錘を付けて沈降させることの検討を行った。
【００１２】
その検討の結果として、粉塵が浮遊している建屋内に水を噴霧すれば、ある程度の粉塵が水滴に付着し、沈降することが判ったが、この方法では、粉塵粒子と水滴との接触が十分に行われないので、粉塵の鎮まり具合が不十分である。
【００１３】
そこで、粉塵粒子と水滴との接触が十分に行われるようにするために、この両者を電気的引力により接触させ一体化させることにした。粉塵の粒子にマイナスに帯電している水滴を近づければ、粉塵粒子と水滴が電気的引力によって衝突し、水滴に粉塵粒子が付着する。この際、粉塵粒子に対して水滴が大きな錘の役割をなすので、粉塵粒子が付着した水滴は速やかに落下する。本発明は上記の検討結果に基づいてなされたものである。
【００１４】
従って、本発明においては、マイナスイオン発生手段により、マイナスイオンを帯びた水滴を発生させ、この水滴を建屋内へ噴霧する操作が行われる。この操作によって、マイナスイオンを帯びた水滴に粉塵粒子が付着し、この粉塵が付着した水滴が沈降することにより、建屋内に発生した粉塵が静まる。
【００１５】
【発明の実施の形態】
図１は本発明に係る実施の形態の一例を示す図である。この図は廃プラスチック受け入れ施設を模式的に示した概略の縦断面図であって、１０は搬入される廃プラスチックの受け入れピット、１１廃プラスチック用ピットの建屋、１２は廃プラスチックの投入口、３０は廃プラスチックを示す。
【００１６】
建屋１１の上部には、その内部へマイナスイオンを帯びた水滴を噴霧するための設備２０が設けられている。図中、２１は水と共に空気を供給して微細な水滴を生成させる２流体ノズルであり、２２はマイナスイオン発生手段２２を備えた噴霧室である。マイナスイオン発生手段２３はコロナ放電によってマイナスイオン発生させる装置である。２４は放電制御装置である。
【００１７】
上記構成の水滴噴霧設備２０を次のように操作することにより、建屋内の粉塵が静められる。
【００１８】
搬入された廃プラスチックがピット１０へ投入されたり、クレーンによりピット内の廃プラスチックを掻き混ぜたりして、建屋１１内に粉塵が舞い上がった際に、水の供給弁２５と空気の供給弁２６を開にすると共に、各マイナスイオン発生手段２２に電圧を印加してコロナ放電を発生させる。このコロナ放電によって、２流体ノズル２１から噴射された微細な水滴がマイナスに帯電し、この水滴が建屋１１内へ吹き込まれる。
【００１９】
建屋１１内においては、浮遊している粉塵粒子と噴霧された水滴が電気的引力によって衝突し、水滴に粉塵粒子が付着する。粉塵粒子が付着した水滴は元の粉塵粒子に比べて、その密度と重量が格段と大きくなっているので、この水滴は速やかに落下（沈降）し、建屋１１内の空気は粉塵が取り除かれた状態になる。
【００２０】
さらに、本発明の方法を実施すれば、次のような粉塵飛散を抑制する効果をももたらされる。建屋内へ噴霧された水はピット内の廃プラスチック３０上に落ちるが、その水は２流体ノズルから噴霧されたものであって、その量は僅かであるので、乾燥されている廃プラスチック３０に適度の湿分を付与する作用をする。
このため、上記の操作をすることにより、沈降した粉塵の再飛散が抑制される。
【００２１】
なお、２流体ノズル２１から吹き込まれた空気は建屋１１の容積からみると、ごく僅かな量であるので、通気口１３から自然通風によって排気され、濾材が充填されたフィルター１４を経て放散される。
【００２２】
【発明の効果】
以上説明した本発明によれば、集塵装置を設置することなく、建屋内に発生した粉塵を鎮めることができる。
【図面の簡単な説明】
【図１】本発明に係る実施の形態の一例を示す図である。
【符号の説明】
１０  廃プラスチックの受け入れピット
１１  廃プラスチック用ピットの建屋
２０  マイナスイオンを帯びた水滴を噴霧する設備
２１  ２流体ノズル
２２  噴霧室
２３  マイナスイオン発生手段
２４  放電制御装置
２５  水の供給弁
２６  空気の供給弁
３０  廃プラスチック
【図１】
2004243205.tif 000003